(57)【要約】【課題】店舗などの各種施設内等における照明及び防犯等或いは監視を可能にする。【解決手段】半透明樹脂カバー８１とアルミシャーシ８２とが連結されることで形成された円筒状部材８９に、ＬＥＤ基板８４とカメラ基板８７とからなる基板部８３が組み込まれ、ＬＥＤ基板８４では、半透明樹脂カバー８１と対向する側には複数のＬＥＤ８５が配置され、アルミシャーシ８２と対向する側には電源基板８４５が配置され、電源基板８４５上に電源ユニット（ＡＣ−ＤＣコンバーター）８４４が配置されており、カメラ基板８７では、半透明樹脂カバー８１と対向する側にカメラユニット８８が配置され、アルミシャーシ８２と対向する側に、カメラユニット８８で撮影した画像をビデオ信号に成形するビデオ信号生成回路と、ビデオ信号を送信する送信基板８７１が配置され、ＬＥＤ基板８４とカメラ基板８７との間に遮光板８６を設けたＬＥＤ照明装置８０を提供する。【選択図】図３
2011154993.tif 000002
【特許請求の範囲】
【請求項１】
直線状に伸び、直線状に伸びる方向を横断する断面方向では、断面円弧状の形状で形成された半透明樹脂カバーと、
前記半透明樹脂カバーと連結される、直線状に伸び、直線状に伸びる方向を横断する断面方向では、断面円弧状の形状で形成されたアルミシャーシと、
前記半透明樹脂カバーと前記アルミシャーシとが連結されることで形成された円筒状部材には、前記円筒状部材の長手方向に沿って、基板部が組み込まれており、
前記基板部は、
前記半透明樹脂カバーと対向する、一方の面部側には複数のＬＥＤを配置し、前記アルミシャーシと対向する、他方の面部側には電源基板が配置され、該電源基板上に前記電源基板により制御されるＡＣ−ＤＣコンバーターを配置し、前記電源基板と導通が図られた、複数の前記ＬＥＤを点灯及び消灯させるＬＥＤ基板と、
前記電源基板と導通が図られ、該ＬＥＤ基板に隣接し、前記半透明樹脂カバーと対向する、一方の面部側に、カメラユニットが配置され、該カメラユニットのレンズユニットが前記半透明樹脂カバー側に向き、前記アルミシャーシと対向する、他方の面部側に、前記カメラユニットで撮影した画像をビデオ信号に成形し、該ビデオ信号を送出する送信基板が配置され、該送信基板が前記電源基板と導通が図られたカメラ基板と、を備え、
該カメラ基板の、前記円筒状部材の長手方向に沿う、前記ＬＥＤ基板側の端部には、前記半透明樹脂カバー側に前記レンズユニットより高く伸びて取り付けられた遮光板と、
前記円筒状部材の長手方向に沿う両端部側に取り付けられた、前記電源基板と導通したエンドキャップと、
該エンドキャップには、ソケットに差し込む、前記電源基板との導通が図られたソケット端子と、を備えたことを特徴とするＬＥＤ照明装置。
【請求項２】
直線状に伸び、直線状に伸びる方向を横断する断面方向では、断面円弧状の形状で形成された半透明樹脂カバーと、
前記半透明樹脂カバーと連結される、直線状に伸び、直線状に伸びる方向を横断する断面方向では、断面円弧状の形状で形成されたアルミシャーシと、
前記半透明樹脂カバーと前記アルミシャーシとが連結されることで形成された円筒状部材には、前記円筒状部材の長手方向に沿って、基板部が組み込まれており、
前記基板部は、
前記半透明樹脂カバーと対向する、一方の面部側には複数のＬＥＤを配置し、前記アルミシャーシと対向する、他方の面部側には電源基板が配置され、該電源基板上に前記電源基板により制御されるＡＣ−ＤＣコンバーターを配置し、前記電源基板と導通が図られた、複数の前記ＬＥＤを点灯及び消灯させる第一ＬＥＤ基板と、
前記電源基板と導通が図られ、該ＬＥＤ基板に隣接し、前記半透明樹脂カバーと対向する、一方の面部側に、カメラユニットが配置され、該カメラユニットのレンズユニットが前記半透明樹脂カバー側に向き、前記アルミシャーシと対向する、他方の面部側に、前記カメラユニットで撮影した画像をビデオ信号に成形し、該ビデオ信号を送出する送信基板が配置され、該送信基板が前記電源基板と導通が図られたカメラ基板と、
前記電源基板と導通が図られ、前記カメラ基板に隣接し、前記半透明樹脂カバーと対向する、一方の面部側には複数のＬＥＤを配置し、複数の前記ＬＥＤを点灯及び消灯させる第二ＬＥＤ基板と、を備え、
該カメラ基板の、前記円筒状部材の長手方向に沿う、前記第一ＬＥＤ基板側及び前記第二ＬＥＤ基板側の端部には、前記半透明樹脂カバー側に前記レンズユニットより高く伸びて取り付けられた遮光板と、
前記円筒状部材の長手方向に沿う両端部側に取り付けられた、前記電源基板と導通したエンドキャップと、
該エンドキャップには、ソケットに差し込む、前記電源基板との導通が図られたソケット端子と、を備えたことを特徴とするＬＥＤ照明装置。
【請求項３】
前記半透明樹脂カバーと前記アルミシャーシとの連結は、前記半透明樹脂カバーの長手方向に沿って、前記半透明樹脂カバーの長手方向を横断する断面方向の前記断面円弧状の形状の両端部側から互いに対向して、前記半透明樹脂カバーの断面円弧状の形状内に突出して伸びる凸部が、前記アルミシャーシの、前記アルミシャーシの長手方向に沿って、前記アルミシャーシの長手方向を横断する断面方向の前記断面円弧状の形状の両端部側から互いに対向して、前記アルミシャーシの断面円弧状の形状の両端部側から連続して開口が断面円弧の外側に向く凹部との係合によりなり、前記半透明樹脂カバーと前記アルミシャーシとを連結することで、前記アルミシャーシの前記凹部に連続して、前記アルミシャーシの長手方向に沿って、前記アルミシャーシの長手方向を横断する断面方向の前記断面円弧状の形状の両端部側から互いに、開口が向き合う溝部が前記円筒状部材内に形成されることを特徴とする請求項１又は２に記載のＬＥＤ照明装置。
【請求項４】
前記半透明樹脂カバーと前記アルミシャーシとの連結により形成された前記円筒状部材の前記開口が向き合う前記溝部には、前記基板部の、長手方向を横断する方向の両端部側を摺動させて、前記基板部を前記円筒状部材内に組み込むことが可能であることを特徴とする請求項１乃至３のいずれかに記載のＬＥＤ照明装置。
【請求項５】
前記円筒状部材内に前記基板部が組み込まれると、前記レンズユニットが対向する前記半透明樹脂カバーでは、前記レンズユニットが対向する位置に開口部が形成されていることを特徴とする請求項１乃至４のいずれかに記載のＬＥＤ照明装置。
【請求項６】
長手方向に沿って、複数のＬＥＤが配置されたベース基板と、
前記ベース基板の長手方向に沿う両端部側に、ソケットに組み入れるソケット端子を備え、前記ソケット端子と前記ベース基板との導通を図るエンドキャップと、
前記ベース基板の、複数配置された前記ＬＥＤ側を被い、点灯した前記ＬＥＤの光を透過させる照明カバーと、
前記照明カバーと連結されることで、前記ベース基板を挟み込み、前記照明カバーとともに前記ベース基板を包み込むとともに、前記べース基板を保持する筺体と、を備えるＬＥＤ照明装置において、
前記ベース基板の、長手方向に沿って、複数配置された前記ＬＥＤと隣り合って、前記ベース基板上に配置された、カメラユニットで撮影した画像データを無線用ＬＡＮで送出する手段と、を備えることを特徴とするＬＥＤ照明装置。
【請求項７】
前記ベース基板上に配置された、カメラユニットで撮影した画像データを無線用ＬＡＮで送出する手段は、
前記ベース基板の前記ＬＥＤ側に対向する映像を撮影するカメラモジュールからなるカメラユニットと、
前記カメラユニットで撮影した前記画像データを前記無線ＬＡＮにより送出する無線ＬＡＮ用基板と、
前記カメラユニットと前記無線ＬＡＮ用基板とを制御する制御基板と、
前記制御基板を駆動する電源部と、を備えることを特徴とする請求項６に記載のＬＥＤ照明装置。
【請求項８】
前記ベース基板の長手方向に沿い、一方の端部から他方の端部に向かい、前記ＬＥＤを複数配置し、複数配置された前記ＬＥＤと隣り合って、前記ベース基板の長手方向に沿い、前記他方の端部から前記一方の端部に向かい、前記カメラユニットで撮影した前記画像データを前記無線用ＬＡＮで送出する手段を備えたことを特徴とする請求項６又は７に記載のＬＥＤ照明装置。
【請求項９】
前記ベース基板の長手方向に沿い、一方の端部から他方の端部に向かうとともに前記他方の端部から前記一方の端部に向かい、前記ＬＥＤを複数配置し、複数配置された前記ＬＥＤ同士の間に、前記カメラユニットで撮影した前記画像データを前記無線用ＬＡＮで送出する手段を備えたことを特徴とする請求項６又は７に記載のＬＥＤ照明装置。
【請求項１０】
前記ベース基板の、複数配置された前記ＬＥＤと前記カメラユニットで撮影した前記画像データを前記無線用ＬＡＮで送出する手段との間には、遮光板を設けたことを特徴とする請求項６乃至９のいずれかに記載のＬＥＤ照明装置。
【発明の詳細な説明】
【技術分野】
【０００１】
本発明は、複数のＬＥＤ（発光ダイオード）を配置した基板を照明カバー（半透明樹脂カバー）と筺体（アルミシャーシ）との間に挟んで組み込んだＬＥＤ照明装置に関する。
【背景技術】
【０００２】
図１１には、ＬＥＤ照明装置１００の一例が示されている。蛍光灯型ＬＥＤ照明灯１００は、複数の部材を組み合わせることで構成されている。図１１に示すように、蛍光灯型ＬＥＤ照明灯１００では、合成樹脂製の透明または半透明の円筒管１０１に照明部１０２が内蔵されている。照明部１０２は、多数個のＬＥＤ（発光ダイオード）１０４ａからなるＬＥＤ群１０４が配設される支持基板１０５の両端に口金１０６が一体に接合され、各口金１０６の中心部１０６ａにＬＥＤ群１０４の各ＬＥＤ１０４ａの端子ピンである、図示しない一方のアノード端子に接続される配線パターン１０８と電子制御手段とによる、図示しない電気回路のリード線が接続される。
【０００３】
そして、中心部１０６ａと絶縁状に形成される周面部１０６ｂに各ＬＥＤ１０４ａの端子ピンである、図示しない他方のカソード端子に接続される配線パターン１０８と電気制御手段を有する、図示しない電気回路のリード線が接続されてなる。また、両口金１０６、１０６に電気的に接合される各ベースキャップ１０３は、円筒部の外周面に円筒管１との係合手段としての雄ネジ１０３ａが螺設され、内部にはその外面で横向きに突設される一対の電極端子３ｂ、３ｃの一方の電極端子３ｂに連接して口金１０６の中心部１０６ａに接続される中心電極接点１０３ｄと、他方の電極端子１０３ｃに連接して口金１０６の周面部１０６ｂに接続される周面電極接点３ｅとを配設してなり、円筒管１０１の両端にはベースキャップ１０３との係合手段である雄ネジ１０１ａが内設されている（特許文献１）。
【先行技術文献】
【特許文献】
【０００４】
【特許文献１】実用新案登録第３１４８１７６号（段落０００７  図１）
【発明の概要】
【発明が解決しようとする課題】
【０００５】
しかしながら、図１１に示すＬＥＤ照明装置１００では、ベースキャップ１０３（電極端子１０３ｂ、１０３ｃ）及び口金１０６を経る電気的な導通により、支持基板１０５に複数配置されたＬＥＤ１０４ａのＬＥＤ群１０４が点灯し、透明または半透明の円筒管１０１を通じて複数のＬＥＤ１０４ａのＬＥＤ群１０４の点灯による明かりが照明となりＬＥＤ照明装置１００が設置された場所、例えば店舗などの各種施設内等を明るくすることは可能になるが、明るくされた店舗などの各種施設内の状態がどのような状況になっているかについての情報が得られることはない。昨今、防犯等或いは監視の目的で店舗などの各種施設内においても防犯（監視）カメラ等が設置されるケースが増えてきており、店舗などの各種施設内の状況についての映像を別の場所で監視するシステムが採用されている。
【０００６】
これまで、照明装置と防犯（監視）カメラ等とは別々に取り扱われる傾向がある。これは、照明装置はあくまで店舗などの各種施設内等を明るくすることが目的であり、防犯（監視）カメラ等は店舗などの各種施設内等の状況における安全等の確保が目的であり、それぞれの目的が異なることによるものである。そのため、同じ店舗などの各種施設内等に照明装置と防犯（監視）カメラ等とが設置される場合、照明装置と防犯（監視）カメラ等とは別々の位置に設置されることが多かった。特に、照明に照らされた店舗などの各種施設内等における防犯等或いは監視に際しても照明のための照明装置とは別個独立に防犯等或いは監視のための防犯（監視）カメラ等を設置せざるを得なく、防犯（監視）カメラ等だけの設置作業が必ず必要となっていた。
【０００７】
また、ＬＥＤ照明装置１００では、図１１に示すように、透明または半透明の円筒管１０１の中で複数のＬＥＤ１０４ａのＬＥＤ群１０４を搭載した支持基板１０５を支持基板１０５の両端部側で、支持基板１０５と一体に接合された口金１０６、１０６で支持することになり、円筒管１０１が短ければ口金１０６、１０６だけで支持することも可能であるが、円筒管１０１が長くなると口金１０６、１０６だけの支持では支持基板１０５を十分に支持することが難しくなる。つまり、円筒管１０１が長くなり、支持基板１０５が長くなると、複数のＬＥＤ１０４ａのＬＥＤ群１０４も広がることで支持基板１０５は円筒管１０１内で撓り易くなり、支持基板１０５の長手方向の中央近傍の位置が不安定になり易い。
【０００８】
本発明は、上記の事情に鑑みなされたものであり、店舗などの各種施設内等における照明及び防犯等或いは監視を可能にするとともに、ＬＥＤを搭載する基板を含めた他の部材の位置の安定性を確保するＬＥＤ照明装置の提供を目的とする。
【課題を解決するための手段】
【０００９】
上記の目的を達成するために、請求項１に記載の発明は、直線状に伸び、直線状に伸びる方向を横断する断面方向では、断面円弧状の形状で形成された半透明樹脂カバーと、前記半透明樹脂カバーと連結される、直線状に伸び、直線状に伸びる方向を横断する断面方向では、断面円弧状の形状で形成されたアルミシャーシと、前記半透明樹脂カバーと前記アルミシャーシとが連結されることで形成された円筒状部材には、前記円筒状部材の長手方向に沿って、基板部が組み込まれており、前記基板部は、前記半透明樹脂カバーと対向する、一方の面部側には複数のＬＥＤを配置し、前記アルミシャーシと対向する、他方の面部側には電源基板が配置され、該電源基板上に前記電源基板により制御されるＡＣ−ＤＣコンバーターを配置し、前記電源基板と導通が図られた、複数の前記ＬＥＤを点灯及び消灯させるＬＥＤ基板と、前記電源基板と導通が図られ、該ＬＥＤ基板に隣接し、前記半透明樹脂カバーと対向する、一方の面部側に、カメラユニットが配置され、該カメラユニットのレンズユニットが前記半透明樹脂カバー側に向き、前記アルミシャーシと対向する、他方の面部側に、前記カメラユニットで撮影した画像をビデオ信号に成形し、該ビデオ信号を送出する送信基板が配置され、該送信基板が前記電源基板と導通が図られたカメラ基板と、を備え、該カメラ基板の、前記円筒状部材の長手方向に沿う、前記ＬＥＤ基板側の端部には、前記半透明樹脂カバー側に前記レンズユニットより高く伸びて取り付けられた遮光板と、前記円筒状部材の長手方向に沿う両端部側に取り付けられた、前記電源基板と導通したエンドキャップと、該エンドキャップには、ソケットに差し込む、前記電源基板との導通が図られたソケット端子と、を備えたことを特徴とする。
【００１０】
従って、請求項１に記載の発明によれば、半透明樹脂カバーとアルミシャーシとを連結することで円筒状部材を形成して、半透明樹脂カバーと、カメラユニットのレンズユニット及びＬＥＤを対向させて円筒状部材内に基板部である、遮光板により仕切られた、ＬＥＤ基板及びカメラ基板を組み込み、円筒状部材の長手方向に沿う両端部側にソケット端子を備えたエンドキャップを取り付け、ソケット端子をソケットに組み込み、ＬＥＤ照明装置のスイッチを入れることで、ソケット端子を通じて流れるＡＣ電流がＡＣ−ＤＣコンバーターを経て電源基板の電源回路よりＤＣ電流としてＬＥＤ基板（ＬＥＤ回路）に流れ、ＬＥＤ基板（ＬＥＤ回路）のパターンに連結された、ＬＥＤ基板に配置された、多数のＬＥＤを点灯させる。また、ＡＣ−ＤＣコンバーターを経て電源基板の電源回路よりＤＣ電流としてカメラ基板に形成されたビデオ信号成形回路に流れ、カメラユニットを作動させレンズユニットを通して得られた画像によりビデオ信号（画像データ）を生成し、さらに、ＡＣ−ＤＣコンバーターを経て電源基板の電源回路よりＤＣ電流が送信機である送信基板（送信回路）に流れ、ビデオ信号（画像データ）を受信機へ送信することを可能にする。そして、ＬＥＤ照明装置のスイッチを切ることで、ＡＣ電流がＡＣ−ＤＣコンバーターに流れなくなり、電源基板の電源回路からＬＥＤ基板（ＬＥＤ回路）へのＤＣ電流が流れなくなり、ＬＥＤ基板に配置された、多数のＬＥＤは消灯し、また、カメラ基板に形成されたビデオ信号成形回路にもＤＣ電流が流れなくなり、送信機も作動を停止する。
【００１１】
また、請求項２に記載の発明は、直線状に伸び、直線状に伸びる方向を横断する断面方向では、断面円弧状の形状で形成された半透明樹脂カバーと、前記半透明樹脂カバーと連結される、直線状に伸び、直線状に伸びる方向を横断する断面方向では、断面円弧状の形状で形成されたアルミシャーシと、前記半透明樹脂カバーと前記アルミシャーシとが連結されることで形成された円筒状部材には、前記円筒状部材の長手方向に沿って、基板部が組み込まれており、前記基板部は、前記半透明樹脂カバーと対向する、一方の面部側には複数のＬＥＤを配置し、前記アルミシャーシと対向する、他方の面部側には電源基板が配置され、該電源基板上に前記電源基板により制御されるＡＣ−ＤＣコンバーターを配置し、前記電源基板と導通が図られた、複数の前記ＬＥＤを点灯及び消灯させる第一ＬＥＤ基板と、前記電源基板と導通が図られ、該ＬＥＤ基板に隣接し、前記半透明樹脂カバーと対向する、一方の面部側に、カメラユニットが配置され、該カメラユニットのレンズユニットが前記半透明樹脂カバー側に向き、前記アルミシャーシと対向する、他方の面部側に、前記カメラユニットで撮影した画像をビデオ信号に成形し、該ビデオ信号を送出する送信基板が配置され、該送信基板が前記電源基板と導通が図られたカメラ基板と、前記電源基板と導通が図られ、前記カメラ基板に隣接し、前記半透明樹脂カバーと対向する、一方の面部側には複数のＬＥＤを配置し、複数の前記ＬＥＤを点灯及び消灯させる第二ＬＥＤ基板と、を備え、該カメラ基板の、前記円筒状部材の長手方向に沿う、前記第一ＬＥＤ基板側及び前記第二ＬＥＤ基板側の端部には、前記半透明樹脂カバー側に前記レンズユニットより高く伸びて取り付けられた遮光板と、前記円筒状部材の長手方向に沿う両端部側に取り付けられた、前記電源基板と導通したエンドキャップと、該エンドキャップには、ソケットに差し込む、前記電源基板との導通が図られたソケット端子と、を備えたことを特徴とする。
【００１２】
従って、請求項２に記載の発明によれば、アルミシャーシのスライドレールである溝部に、ＬＥＤ基板同士の間にカメラ基板を配置し、ＬＥＤ基板とカメラ基板とを遮光板により仕切った基板部を組み込み、半透明樹脂カバーを基板部が組み込まれたアルミシャーシに重ね合わせて、半透明樹脂カバーとアルミシャーシとを連結することで円筒状部材を形成して、円筒状部材の長手方向に沿う両端部側にソケット端子を備えたエンドキャップを取り付け、ソケット端子をソケットに組み込み、ＬＥＤ照明装置のスイッチを入れることで、ソケット端子を通じて流れるＡＣ電流がＡＣ−ＤＣコンバーターを経て電源基板の電源回路よりＤＣ電流としてＬＥＤ基板（ＬＥＤ回路）に流れ、ＬＥＤ基板（ＬＥＤ回路）のパターンに連結された、ＬＥＤ基板に配置された、多数のＬＥＤを点灯させる。また、ＡＣ−ＤＣコンバーターを経て電源基板の電源回路よりＤＣ電流としてカメラ基板に形成されたビデオ信号成形回路に流れ、カメラユニットを作動させレンズユニットを通して得られた画像によりビデオ信号（画像データ）を生成し、さらに、ＡＣ−ＤＣコンバーターを経て電源基板の電源回路よりＤＣ電流が送信機である送信基板（送信回路）に流れ、ビデオ信号（画像データ）を受信機へ送信することを可能にする。そして、ＬＥＤ照明装置のスイッチを切ることで、ＡＣ電流がＡＣ−ＤＣコンバーターに流れなくなり、電源基板の電源回路からＬＥＤ基板（ＬＥＤ回路）へのＤＣ電流が流れなくなり、ＬＥＤ基板に配置された、多数のＬＥＤは消灯し、また、カメラ基板に形成されたビデオ信号成形回路にもＤＣ電流が流れなくなり、送信機も作動を停止する。
【００１３】
さらに、請求項３に記載の発明は、請求項１又は２に記載の構成に加え、前記半透明樹脂カバーと前記アルミシャーシとの連結は、前記半透明樹脂カバーの長手方向に沿って、前記半透明樹脂カバーの長手方向を横断する断面方向の前記断面円弧状の形状の両端部側から互いに対向して、前記半透明樹脂カバーの断面円弧状の形状内に突出して伸びる凸部が、前記アルミシャーシの、前記アルミシャーシの長手方向に沿って、前記アルミシャーシの長手方向を横断する断面方向の前記断面円弧状の形状の両端部側から互いに対向して、前記アルミシャーシの断面円弧状の形状の両端部側から連続して開口が断面円弧の外側に向く凹部との係合によりなり、前記半透明樹脂カバーと前記アルミシャーシとを連結することで、前記アルミシャーシの前記凹部に連続して、前記アルミシャーシの長手方向に沿って、前記アルミシャーシの長手方向を横断する断面方向の前記断面円弧状の形状の両端部側から互いに、開口が向き合う溝部が前記円筒状部材内に形成されることを特徴とする。
【００１４】
従って、請求項３に記載の発明によれば、半透明樹脂カバーにおいて、半透明樹脂カバーの長手方向に沿って、半透明樹脂カバーの長手方向を横断する断面方向の断面円弧状の形状の両端部側から互いに対向して、半透明樹脂カバーの断面円弧状の形状内に突出して凸部が伸びており、その凸部が、アルミシャーシにおける、アルミシャーシの長手方向に沿って、アルミシャーシの長手方向を横断する断面方向の断面円弧状の形状の両端部側から互いに対向して、アルミシャーシの断面円弧状の形状の両端部側から連続して開口が断面半円弧の外側に向く凹部と係合することで半透明樹脂カバーとアルミシャーシとが連結することになり円筒状部材が形成される。つまり、半透明樹脂カバーの長手方向に沿う両側の凸部とアルミシャーシの長手方向に沿う両側の凹部とを摺動することで半透明樹脂カバーとアルミシャーシとの連結され円筒状部材が形成される。そして、半透明樹脂カバーとアルミシャーシとの連結が完成し円筒状部材が形成されることで、アルミシャーシの凹部に連続して開口が向き合う、基板部が摺動することになるスライドレールとなる、アルミシャーシの溝部が円筒状部材内に形成される。
【００１５】
なお、半透明樹脂カバーとアルミシャーシとの連結に際しては、半透明樹脂カバーの凸部とアルミシャーシの凹部と摺動させることに限定されない。つまり、半透明樹脂カバーとアルミシャーシと重ね合わせることで半透明樹脂カバーの凸部とアルミシャーシの凹部と組み合わせて半透明樹脂カバーとアルミシャーシとの連結することで円筒状部材を形成することも可能である。この場合には、アルミシャーシのスライドレールである溝部に基板部を組み込んでおいた状態であっても、基板部を組み込んでない状態であってもいずれの状態でも半透明樹脂カバーとアルミシャーシとの連結が可能である。この場合の、半透明樹脂カバーとアルミシャーシとの連結では、半透明樹脂カバーの両端部側をアルミシャーシの両端部側に当接させて、半透明樹脂カバーの両端部側の凸部をアルミシャーシの両端部側の背壁部に乗り上げさせて、半透明樹脂カバーの両端部側の凸部でアルミシャーシの両端部側の背壁部を挟み込み、半透明樹脂カバーの凸部をアルミシャーシの背壁部上を摺動させて、半透明樹脂カバーの凸部をアルミシャーシの凹部に組み入れて、半透明樹脂カバーとアルミシャーシとを係合し、半透明樹脂カバーとアルミシャーシとの連結が行われる。
【００１６】
また、請求項４に記載の発明は、請求項１乃至３のいずれかに記載の構成に加え、前記半透明樹脂カバーと前記アルミシャーシとの連結により形成された前記円筒状部材の前記開口が向き合う前記溝部には、前記基板部の、長手方向を横断する方向の両端部側を摺動させて、前記基板部を前記円筒状部材内に組み込むことが可能であることを特徴とする。
【００１７】
従って、請求項４に記載の発明によれば、半透明樹脂カバーとアルミシャーシとの連結により形成された円筒状部材の開口が向き合う溝部は、円筒状部材の長手方向に沿って形成されることになり、円筒状部材の長手方向に沿う一方の端部側より基板部の、長手方向を横断する方向の両端部を円筒状部材の開口が向き合う溝部に組み込み、基板部を円筒状部材の長手方向に沿う、一方の端部側より他方の端部側へ向かって摺動させることにより、円筒状部材内に基板部である、ＬＥＤ基板及びカメラ基板を組み込むことが可能になる。
【００１８】
さらに、請求項５に記載の発明は、請求項１乃至４のいずれかに記載の構成に加え、前記円筒状部材内に前記基板部が組み込まれると、前記レンズユニットが対向する前記半透明樹脂カバーでは、前記レンズユニットが対向する位置に開口部が形成されていることを特徴とする。
【００１９】
従って、請求項５に記載の発明によれば、円筒状部材内に基板部であるカメラ基板が組み込まれると、カメラユニットのレンズユニットが対向する半透明樹脂カバーでは、レンズユニットが対向する位置に開口部が形成され、レンズユニットに入る画像が半透明樹脂カバーを介すことなく、直接レンズユニットに入ることが可能になる。
【００２０】
また、請求項６に記載の発明は、長手方向に沿って、複数のＬＥＤが配置されたベース基板と、前記ベース基板の長手方向に沿う両端部側に、ソケットに組み入れるソケット端子を備え、前記ソケット端子と前記ベース基板との導通を図るエンドキャップと、前記ベース基板の、複数配置された前記ＬＥＤ側を被い、点灯した前記ＬＥＤの光を透過させる照明カバーと、前記照明カバーと連結されることで、前記ベース基板を挟み込み、前記照明カバーとともに前記ベース基板を包み込むとともに、前記べース基板を保持する筺体と、を備えるＬＥＤ照明装置において、前記ベース基板の、長手方向に沿って、複数配置された前記ＬＥＤと隣り合って、前記ベース基板上に配置された、カメラユニットで撮影した画像データを無線用ＬＡＮで送出する手段と、を備えることを特徴とする。
【００２１】
従って、請求項６に記載の発明によれば、ＬＥＤ照明装置をソケットに組み込むことで、ソケット端子、エンドキャップ、ベース基板、そしてエンドキャップ、ソケット端子という電気的な導通を図ることで、ベース基板に複数配置したＬＥＤを点灯し、照明カバーを通じて店舗などの各種施設内の照明を行うとともに、電源部により駆動される制御基板の制御により、カメラユニットを作動し、照明に照らされた店舗などの各種施設内の撮影を連続的に行い、撮影された画像データが無線ＬＡＮ基板による無線ＬＡＮで遠隔地へ送信することを可能にする。
【００２２】
さらに、請求項７に記載の発明は、請求項６に記載の構成に加え、前記ベース基板上に配置された、カメラユニットで撮影した画像データを無線用ＬＡＮで送出する手段は、前記ベース基板の前記ＬＥＤ側に対向する映像を撮影するカメラモジュールからなるカメラユニットと、前記カメラユニットで撮影した前記画像データを前記無線ＬＡＮにより送出する無線ＬＡＮ用基板と、前記カメラユニットと前記無線ＬＡＮ用基板とを制御する制御基板と、前記制御基板を駆動する電源部と、を備えることを特徴とする。
【００２３】
従って、請求項７に記載の発明によれば、ベース基板の長手方向に沿って、複数配置されたＬＥＤであるＬＥＤアレイ部（照明部）と隣り合ってカメラ部が配置されており、カメラ部では、電源部が制御基板を駆動し、制御基板がカメラユニットと無線ＬＡＮ用基板を制御することで、カメラユニットがベース基板のＬＥＤ側に対向する映像である店舗などの各種施設内等における映像を撮影し、撮影した画像データを無線ＬＡＮ用基板による無線ＬＡＮにより送出することが可能になる。
【００２４】
また、請求項８に記載の発明は、請求項６又は７に記載の構成に加え、前記ベース基板の長手方向に沿い、一方の端部から他方の端部に向かい、前記ＬＥＤを複数配置し、複数配置された前記ＬＥＤと隣り合って、前記ベース基板の長手方向に沿い、前記他方の端部から前記一方の端部に向かい、前記カメラユニットで撮影した前記画像データを前記無線用ＬＡＮで送出する手段を備えたことを特徴とする。
【００２５】
従って、請求項８に記載の発明によれば、ベース基板の長手方向に、複数配置されたＬＥＤであるＬＥＤアレイ部（照明部）と隣り合ってカメラ部とを配置した、ＬＥＤ照明装置をソケットに組み込むことで、ソケット端子、エンドキャップ、ベース基板、そしてエンドキャップ、ソケット端子という電気的な導通を図ることで、ベース基板に複数配置したＬＥＤを点灯し、照明カバーを通じて店舗などの各種施設内の照明を行うとともに、電源部により駆動される制御基板の制御により、カメラユニットを作動し、照明に照らされた店舗などの各種施設内の撮影を連続的に行い、撮影された画像データが無線ＬＡＮ基板による無線ＬＡＮで遠隔地へ送信することを可能にする。
【００２６】
さらに、請求項９に記載の発明は、請求項６又は７に記載の構成に加え、前記ベース基板の長手方向に沿い、一方の端部から他方の端部に向かうとともに前記他方の端部から前記一方の端部に向かい、前記ＬＥＤを複数配置し、複数配置された前記ＬＥＤ同士の間に、前記カメラユニットで撮影した前記画像データを前記無線用ＬＡＮで送出する手段を備えたことを特徴とする。
【００２７】
従って、請求項９に記載の発明は、ベース基板の長手方向に沿って、一方の端部と他方の端部とから複数配置されたＬＥＤであるＬＥＤアレイ部（照明部）を配置し、複数配置されたＬＥＤであるＬＥＤアレイ部（照明部）同士の間にカメラユニットで撮影した画像データを無線用ＬＡＮで送出する手段であるカメラ部を配置した、ＬＥＤ照明装置をソケットに組み込むことで、ソケット端子、エンドキャップ、ベース基板、そしてエンドキャップ、ソケット端子という電気的な導通を図ることで、ベース基板に複数配置したＬＥＤを点灯し、照明カバーを通じて店舗などの各種施設内の照明を行うとともに、電源部により駆動される制御基板の制御により、カメラユニットを作動し、照明に照らされた店舗などの各種施設内の撮影を連続的に行い、撮影された画像データが無線ＬＡＮ基板による無線ＬＡＮで遠隔地へ送信することを可能にする。
【００２８】
さらに、請求項１０に記載の発明は、請求項６乃至９のいずれかに記載の構成に加え、前記ベース基板の、複数配置された前記ＬＥＤと前記カメラユニットで撮影した前記画像データを前記無線用ＬＡＮで送出する手段との間には、遮光板を設けたことを特徴とする。
【００２９】
従って、請求項１０に記載の発明によれば、ベース基板の、一方の端部から他方の端部に向かって、複数配置されたＬＥＤと、ベース基板の、他方の端部側の無線用ＬＡＮ基板及びカメラユニットとの間である、複数配置されたＬＥＤの終端側に遮光板を設けることで、複数配置されたＬＥＤが点灯した際に、点灯したＬＥＤの光が直接、ベース基板の、他方の端部側へ差し込みの遮りを可能にする。
【発明の効果】
【００３０】
本発明によれば、ＬＥＤ照明装置をソケットに組み込むことで、ＬＥＤ照明装置の電気的な導通を図り、ベース基板に複数配置したＬＥＤを点灯し、店舗などの各種施設内の照明を行うとともに、電源部により駆動される制御基板の制御により、カメラユニットを作動し、照明に照らされた店舗などの各種施設内のベース基板のＬＥＤ側に対向する映像の撮影を連続的に行い、撮影された画像データを無線ＬＡＮ基板による無線ＬＡＮで遠隔地へ送信することができ、店舗などの各種施設内における防犯等或いは監視を遠隔地で行うことができる。また、照明に照らされた店舗などの各種施設内等における防犯等或いは監視に際しても照明のための照明装置とは別個独立に防犯等或いは監視のための防犯（監視）カメラ等を配置する必要がなくなる。つまり、照明装置が防犯等或いは監視のための防犯（監視）カメラ等の機能も有するため、防犯（監視）カメラ等だけの配置作業が必要なくなり店舗などの各種施設内の設備の配置作業の効率化を図れる。
【００３１】
また、半透明樹脂カバーの長手方向に沿う両側の凸部とアルミシャーシの長手方向に沿う両側の凹部とが係合することで半透明樹脂カバーとアルミシャーシとの連結が行われており、半透明樹脂カバーとアルミシャーシとの連結を容易にしかも確実に行うことができる。半透明樹脂カバーとアルミシャーシとの連結することで基板部であるＬＥＤ基板及びカメラ基板を組み込む円筒状部材が形成され、アルミシャーシに形成された、アルミシャーシの長手方向に沿う、開口が向き合う溝部であるスライドレールが円筒状部材内に形成される。その溝部に基板部の長手方向を横断する断面方向の両端部側を組み込み、基板部を溝部に摺動させることで基板部であるＬＥＤ基板及びカメラ基板を円筒状部材内に組み込むことができる。その結果、基板部の長手方向を横断する断面方向の両端部側が円筒状部材内の溝部で支持されることになり、基板部の円筒状部材内での位置を安定させることができる。
【図面の簡単な説明】
【００３２】
【図１】本発明であるＬＥＤ照明装置の概略を示す説明図である。
【図２】本発明であるＬＥＤ照明装置の他の態様の概略を示す説明図である。
【図３】本発明であるＬＥＤ照明装置の別の態様における、基板部の組み込み状態を示す説明図である。
【図４】図３のＡ−Ａ線に沿う断面方向から示す説明図である。（ａ）は、図３のＡ−Ａ線に沿う断面方向から示す、基板部を中心とする、カメラユニットと電源ユニットと位置関係を示す説明図である。（ｂ）は、図３のＡ−Ａ線に沿う断面方向から示す、半透明樹脂カバーとアルミシャーシとの連結の状態の拡大詳細図である。
【図５】半透明樹脂カバーとアルミシャーシと重ね合わせることで半透明樹脂カバー８１とアルミシャーシ８２との連結する状態を半透明樹脂カバー及びアルミシャーシの、長手方向に沿う端部側から示す説明図である。（ａ）は、半透明樹脂カバーの両端部側の凸部でアルミシャーシの両端部側の背壁部を挟み込んで、半透明樹脂カバーの凸部がアルミシャーシの背壁部上を、矢印Ｅ方向に沿って、摺動する状態を示す説明図である。（ｂ）は、半透明樹脂カバーの凸部がアルミシャーシの凹部に入ることで係合し、半透明樹脂カバーとアルミシャーシとが連結した状態を示す説明図である。
【図６】図３に示すＬＥＤ照明装置の長手方向に沿う断面方向からの説明図である。（ａ）は、図４（ａ）に示すＢ−Ｂ線に沿う、図３に示すＬＥＤ照明装置の長手方向に沿う断面方向から示す説明図である。（ｂ）は、図４（ａ）に示すＣ−Ｃ線に沿う、図３に示すＬＥＤ照明装置の長手方向に沿う断面方向から示す説明図である。
【図７】室内の天井面の基台に図３に示すＬＥＤ照明装置が取り付けられた状態を示す説明図である。
【図８】図６に示す天井面における基台のＬＥＤ照明装置のカメラユニットによる室内の撮影範囲（角度θ）を示す説明図である。
【図９】図３に示すＬＥＤ照明装置の作動状況の順序を示す説明図である。
【図１０】本発明である、ＬＥＤ基板同士の間にカメラ基板を配置したＬＥＤ照明装置を図５に対応して断面方向より示す説明図である。（ａ）は、ＬＥＤ基板同士の間にカメラ基板を配置したＬＥＤ照明装置の、ＬＥＤアレイ部（照明部）及びカメラユニットの位置を上方から示す、ＬＥＤ照明装置の長手方向に沿う、断面方向より示す説明図である。（ｂ）は、ＬＥＤ基板同士の間にカメラ基板を配置したＬＥＤ照明装置の、ＬＥＤアレイ部（照明部）及びカメラユニットの位置を側方から示す、ＬＥＤ照明装置の長手方向に沿う、断面方向より示す説明図である。
【図１１】特許文献１の、蛍光灯型ＬＥＤ照明灯の構成を示す図である。
【発明を実施するための形態】
【００３３】
以下、本発明を実施するための形態について図面を参照して説明する。
【００３４】
（例１）
本発明であるＬＥＤ照明装置１は、図１に示すように、基本的な形状は、一般的な蛍光灯照明器具と同じ、細長い円筒状の形状をなしている。ＬＥＤ照明装置１では、細長い板状のベース基板２が組み込まれている。ベース基板２は、ＬＥＤ照明器具１の長手方向の長さより若干短い長さであり、ベース基板２の長手方向に沿う両端部２１、２２側にはエンドキャップ３、３が設けられている。ベース基板２の長手方向に沿う両端部２１、２２側からは、ベース基板２のパターンに連結されたリード線が伸びており、ベース基板２の長手方向に沿う両端部２１、２２と伸びたリード線がエンドキャップ３内に組み込まれている。エンドキャップ３は、図１に示すように、略円筒状の形状をなしており、ベース基板２の長手方向に沿う両端部２１、２２が組み込まれた側と反対側には、ソケット端子３１、３１が間隔をあけて二本設けられている（二本突出して設けられて、ソケットに組込可能になっている）。
【００３５】
また、エンドキャップ３の材質は特に限定されないが、本例では、アルミ製のものを用いている。以上が本例におけるベース基板２の長手方向の両端部２１、２２の構造であるが、本例においてもベース基板２の長手方向の両端部２１、２２の構造を図３に示す構造と同じにすることも可能である。つまり、ベース基板２の長手方向の両端部側に、ベース基板２から突出した基板ソケット端子１１３、１１３を形成し、それぞれの基板ソケット端子１１３、１１３に端子固定基板１０３、１０３を対向させ、それぞれの基板ソケット端子１１３、１１３を端子固定基板１０３、１０３のソケット端子１１２、１１２に組み込むことでベース基板２を端子固定基板１０３、１０３に固定し、端子固定基板１０３、１０３を口金１０３組み込むということも可能である。
【００３６】
そして、ベース基板２の長手方向に沿い、一方の端部２１から他方の端部２２に向かって、図１に示すように、ＬＥＤアレイ部（照明部）１２が形成されている。ＬＥＤアレイ部（照明部）１２は、ＬＥＤ４が複数配置されることで形成されている。本例ではＬＥＤ２は２列に配置されているが、２列に限定されることなく、ＬＥＤ照明装置１の大きさにより、３列に配置したり、１列に配置することが可能である。また、ベース基板２の、他方の端部２２から一方の端部２１に向かって、カメラユニット５で撮影した画像データを無線用ＬＡＮで送出する手段であるカメラ部１１が形成されている。つまり、本例では、ＬＥＤアレイ部（照明部）１２に隣り合ってカメラ部１１が形成されている。カメラ部１１は、カメラユニット５、制御基板６、無線ＬＡＮ基板７及び電源部８から構成されている。カメラ部１１は、図１に示すように、ベース基板２に配置されており、ベース基板２の他方の端部２２側に近い順から電源部８、無線ＬＡＮ基板７、制御基板６、カメラユニット５の順に配置されている。
【００３７】
電源部８は、無線ＬＡＮ基板７、制御基板６及びカメラユニット５を作動させるための電源であり、本例では電源部８として電池を用いているが、電池に限定されることはない。電源部８により駆動される制御基板６にはカメラユニット５及び無線ＬＡＮ基板７が連結されており、制御基板６の制御によりカメラユニット５であるマイクロカメラモジュールの撮影が可能になるとともに、無線ＬＡＮ基板７による無線ＬＡＮでカメラユニット５で撮影した画像データを遠隔地へ送信（送出）することが可能になっている。
【００３８】
ベース基板２では、以上のようにカメラ部１１とＬＥＤアレイ部（照明部）１２とが照明カバー１３に対向して配置されており、カメラ部１１とＬＥＤアレイ部（照明部）１２とを遮断するための遮光板９が配置されている（ＬＥＤアレイ部（照明部）１２からの直接の照明がカメラ部１１側に入るのを遮るために、カメラ部１１とＬＥＤアレイ部（照明部）１２との間に遮光板９が配置されている）。遮光板９はカメラ部１１とＬＥＤアレイ部（照明部）１２とを遮断する板状の部材であれば材質は特に限定されないが、本例においては合成樹脂製の板状の部材を用いている。本例においては、遮光板９はベース基板２に当接し、ベース基板２に接着されて、ベース基板２に対して垂直に配置されている。そして、遮光板９の、ベース基板２に当接した端部と反対側の端部である照明カバー１３に対向する端部は照明カバー１３の内側の形状（円弧状の形状）に形成されている。
【００３９】
以上がベース基板２の構成であり、ベース基板２が照明カバー１３と筺体１４とに挟まれて組み込まれる。照明カバー１３と筺体１３とが連結されることで略円筒状の形状をなすことになる。そのため、照明カバー１３は、長手方向を横断する断面方向では略円弧の形状をなし、ベース基板２の、ＬＥＤアレイ部（照明部）１２とカメラ部１１を当接することなく被うことになる。また、本例では、照明カバー１３は合成樹脂製であるが、特に合成樹脂製に限定されることはない。ベース基板２の照明カバー１３と筺体１４との組み込みに際しては、ベース基板２の、ＬＥＤ４が複数配置されたＬＥＤアレイ部（照明部）１２とカメラユニット５、制御基板６、無線ＬＡＮ基板７及び電源部８からなるカメラ部１１とを照明カバー１３で被い、ベース基板２の、カメラ部１１及びＬＥＤアレイ部（照明部）１２と反対側を、筺体１４により被うことで照明カバー１３と筺体１３とが嵌合により連結してＬＥＤ照明装置１が組み立てられる。
【００４０】
そして、照明カバー１３は筺体１４より着脱できる蓋となっている。照明カバー１３と筺体１３とが嵌合により連結するに際しては、筺体１３は照明カバー１３と対向し、ベース基板２の複数配置されたＬＥＤ２側と反対側からベース基板２を被い、照明カバー１３とともにベース基板２を包み込むとともに、べース基板２を保持することになる。本例では、エンドキャップ３、３に組み込まれたベース基板２の長手方向の両端部２１、２２側を照明カバー１３及び筺体１４の長手方向の両端部側で挟み込むことでベース基板２を保持している。
【００４１】
組み立てられたＬＥＤ照明装置１を、図示しない店舗などの各種施設内のソケットに取り付けてＬＥＤ照明装置１の図示しないスイッチを入れると、ソケット端子３１、エンドキャップ３とベース基板２、そして、ベース基板２、エンドキャップ３及びソケット端子３１と電気的に導通が図られることになり、ベース基板２のＬＥＤアレイ部（照明部）１２の複数配置されたＬＥＤ４が点灯し、照明カバー１３を通じて店舗などの各種施設内の照明を行う。このとき、カメラ部１１とＬＥＤアレイ部（照明部）１２との間に遮光板９が配置されているため、ＬＥＤアレイ部（照明部）１２からのカメラ部１１に直接入る照明をを遮断する。そして、ベース基板２のカメラ部１１では、電源部８により駆動される制御基板６の制御により、カメラユニット５であるマイクロカメラモジュールを作動し、照明に照らされた店舗などの各種施設内の（ベース基板２のＬＥＤ４側に対向する映像の）撮影を連続的に行い、撮影された画像データが無線ＬＡＮ基板７による無線ＬＡＮで遠隔地へ送信され、照明に照らされた店舗などの各種施設内等における防犯等或いは監視を遠隔地で行う。
【００４２】
（例２）
つぎに、ＬＥＤ照明装置１を変形した態様であるＬＥＤ照明装置１０について説明する。ＬＥＤ照明装置１０の基本的な構成についてはＬＥＤ照明装置１と同じであり、例１と異なる構成を中心にＬＥＤ照明装置１０について説明する。
【００４３】
ＬＥＤ照明装置１０では、ベース基板２の長手方向に沿い、一方の端部２１から他方の端部２２に向かうともに他方の端部２２から一方の端部２１に向かい、図２に示すように、ＬＥＤアレイ部（照明部）１２が形成されている。ＬＥＤアレイ部（照明部）１２は、例１と同様に、ＬＥＤ４が複数配置されることで形成されている。本例ではＬＥＤ２は２列に配置されているが、２列に限定されることなく、ＬＥＤ照明装置１０の大きさにより、３列に配置したり、１列に配置することが可能である。また、複数配置されたＬＥＤ４同士の間に、カメラユニット５で撮影した画像データを無線用ＬＡＮで送出する手段であるカメラ部１１が形成されている。つまり、本例では、ＬＥＤアレイ部（照明部）１２、１２同士に挟み込まれてカメラ部１１が形成されている。カメラ部１１は、例１と同様に、カメラユニット５、制御基板６、無線ＬＡＮ基板７及び電源部８から構成されている。カメラ部１１は、図２に示すように、ベース基板２に配置されている。
【００４４】
電源部８は、無線ＬＡＮ基板７、制御基板６及びカメラユニット５を作動させるための電源であり、本例では、例１と同様に、電源部８として電池を用いているが、電池に限定されることはない。また、例１と同様に、電源部８により駆動される制御基板６にはカメラユニット５及び無線ＬＡＮ基板７が連結されており、制御基板６の制御によりカメラユニット５であるマイクロカメラモジュールの撮影が可能になるとともに、無線ＬＡＮ基板７による無線ＬＡＮでカメラユニット５で撮影した画像データを遠隔地へ送信（送出）することが可能になっている。
【００４５】
ベース基板２では、以上のように、照明カバー１３に対向してＬＥＤアレイ部（照明部）１２、１２同士の間にカメラ部１１が配置されており、カメラ部１１とＬＥＤアレイ部（照明部）１２とを遮断するために、例１と同様に、遮光板９が配置されている（ＬＥＤアレイ部（照明部）１２からの直接の照明がカメラ部１１側に入るのを遮るために、カメラ部１１とＬＥＤアレイ部（照明部）１２との間に遮光板９が配置されている）。遮光板９はカメラ部１１とＬＥＤアレイ部（照明部）１２とを遮断する板状の部材であれば材質は特に限定されないが、本例においては合成樹脂製の板状の部材を用いている。本例においては、例１と異なり、図２に示すように、ＬＥＤアレイ部（照明部）１２、１２同士の間にカメラ部１１が配置されているために、二箇所に遮光板９が配置されている。遮光板９は、例１と同様に、ベース基板２に当接し、ベース基板２に接着されて、ベース基板２に対して垂直に配置されている。そして、遮光板９の、ベース基板２に当接した端部と反対側の端部である照明カバー１３に対向する端部は照明カバー１３の内側の形状（円弧状の形状）に形成されている。
【００４６】
以上がベース基板２の構成であり、ソケット端子３１を備えたエンドキャップ３、３に長手方向の両端部２１、２２側を組み込まれたベース基板２が、例１と同様に、照明カバー１３と筺体１４とに挟まれて組み込まれている。また、照明カバー１３は、例１と同様に、合成樹脂製であるが、特に合成樹脂製に限定されることはない。ベース基板２の照明カバー１３と筺体１４との組み込みも例１と同様に行われており、ベース基板２を照明カバー１３と筺体１４とで被うことでベース基板２を保持し、照明カバー１３と筺体１３とが嵌合により連結してＬＥＤ照明装置１が組み立てられ、照明カバー１３は筺体１４より着脱できる蓋となっている。
【００４７】
組み立てられたＬＥＤ照明装置１０を、図示しない店舗などの各種施設内のソケットに取り付けてＬＥＤ照明装置１０の図示しないスイッチを入れると、例１と同様に、ソケット端子３１、エンドキャップ３とベース基板２、そして、ベース基板２、エンドキャップ３及びソケット端子３１と電気的に導通が図られることになり、ベース基板２のＬＥＤアレイ部（照明部）１２の複数配置されたＬＥＤ４が点灯し、照明カバー１３を通じて店舗などの各種施設内の照明を行う。このとき、カメラ部１１とＬＥＤアレイ部（照明部）１２との間に遮光板９が配置されているため、ＬＥＤアレイ部（照明部）１２からのカメラ部１１に直接入る照明をを遮断する。そして、ベース基板２のカメラ部１１では、電源部８により駆動される制御基板６の制御により、カメラユニット５であるマイクロカメラモジュールを作動し、照明に照らされた店舗などの各種施設内の（ベース基板２のＬＥＤ４側に対向する映像の）撮影を連続的に行い、撮影された画像データが無線ＬＡＮ基板７による無線ＬＡＮで遠隔地へ送信され、照明に照らされた店舗などの各種施設内等における防犯等或いは監視を遠隔地で行う。
【００４８】
（例３）
さらに、ＬＥＤ照明装置１、１０とは異なる構成のＬＥＤ照明装置８０について説明する。ＬＥＤ照明装置８０は、図３に示すように、半透明樹脂カバー８１とアルミシャーシ８２とが連結することで円筒状部材８９が形成されて、その円筒状部材８９内に基板部８３であるＬＥＤ基板８３及びカメラ基板８７が収納されることになる。半透明樹脂カバー８１は、図３に示すように、直線状に伸び、直線状に伸びる方向を横断する断面方向では、断面円弧状の形状に形成されている。本例では、この断面円弧状が断面半円弧状に形成されている。そして、半透明樹脂カバー８１の長手方向を横断する方向の、断面半円弧状の形状の（両）端部８１１、８１１側から互いに対向して、断面半円弧状の形状内に突出して凸部８１２、８１２が伸びている。凸部８１２、８１２は、図３に示すように、半透明樹脂カバー８１の長手方向に沿う軸方向を中心に左右対称に形成されており、互いに対向して半透明樹脂カバー８１の平板状の板状部分として互い対向して真っ直ぐ伸びている。
【００４９】
また、半透明樹脂カバー８１と連結されるアルミシャーシ８２は、図３及び図４に示すように、半透明樹脂カバー８１と同様に、直線状に伸び、直線状に伸びる方向を横断する断面方向では、断面円弧状の形状に形成されている。本例では、半透明樹脂カバー８１と同様に、この断面円弧状が断面半円弧状に形成されている（図４（ａ）参照）。そして、図４（ｂ）に示すように、アルミシャーシ８２の長手方向を横断する方向の、断面半円弧状の形状の（両）端部８２１、８２１側から互いに対向して、断面半円弧状の形状の（両）端部８２１、８２１側から連続して開口８２２、８２２が断面半円弧の外側に向く凹部８２３、８２３が形成されている。凹部８２３、８２３は、図４（ａ）に示すように、アルミシャーシ８２の長手方向に沿う軸方向に左右対称に形成されており、半透明樹脂カバー８１の凸部８１２、８１２と係合することが可能になっている（図４（ｂ）参照）。つまり、半透明樹脂カバー８１の長手方向の端部側の凸部８１２、８１２と、アルミシャーシ８２のの長手方向の端部側の凹部８２３、８２３とを係合させて（組み合わせて）、半透明樹脂カバー８１の凸部８１２、８１２とアルミシャーシ８２の凹部８２３、８２３とを噛み合わせた状態にして、半透明樹脂カバー８１の凸部８１２、８１２とアルミシャーシ８２の凹部８２３、８２３とを互いに摺動させることで半透明樹脂カバー８１とアルミシャーシ８２とを連結することができる（図３参照）。
【００５０】
そして、アルミシャーシ８２では、図４（ｂ）に示すように、アルミシャーシ８２の長手方向に沿って、凹部８２３、８２３に連続して、断面略コ字状の形状をなした、開口８２４、８２４が向き合う溝部８２５、８２５が形成されている。溝部８２５、８２５はスライドレールとなり、半透明樹脂カバー８１とアルミシャーシ８２とを連結することで円筒状部材８９を形成することで円筒状部材８９内で開口８２４、８２４が向き合うことで形成されることになる。そして、円筒状部材８９内の溝部８２５、８２５には基板部８３が組み込まれることになる（図３及び図４（ａ）参照）。基板部８３の組み込みでは、基板部８３の長手方向に沿う、基板部８３の長手方向に沿う（両）端部８３１、８３１側を円筒状部材８９の長手方向に沿ういずれか一方の端部側から円筒状部材８９内の溝部８２５、８２５内を摺動させて、図３に示す矢印Ｘ方向に沿って、円筒状部材８９内に基板部８３を収納することになる（図３参照）。
【００５１】
なお、半透明樹脂カバー８１とアルミシャーシ８２との連結に際しては、半透明樹脂カバー８１の凸部８１２、８１２とアルミシャーシ８２の凹部８２３、８２３と摺動させることに限定されない。図５に示すように、半透明樹脂カバー８１とアルミシャーシ８２と重ね合わせることで半透明樹脂カバー８１の凸部８１２、８１２とアルミシャーシ８２の凹部８２３、８２３と組み合わせて半透明樹脂カバー８１とアルミシャーシ８２との連結することで円筒状部材８９を形成することも可能である。この場合には、アルミシャーシ８２のスライドレールとなる溝部８２５、８２５に基板部８３を組み込んでおいた状態であっても、基板部８３を組み込んでない状態であってもいずれの状態でも半透明樹脂カバー８１とアルミシャーシ８２との連結するが可能である。図５では、予めアルミシャーシ８２の溝部８２５、８２５に基板部８３が組み込まれた状態となっている。まず、アルミシャーシ８２の両端部８２１、８２１側と半透明樹脂カバー８１の両端部８１１、８１１側とを当接させるように、半透明樹脂カバー８１を矢印Ｅ方向に沿ってアルミシャーシ８２に接近させる。
【００５２】
そして、図５（ａ）に示すように、半透明樹脂カバー８１の両端部８１１、８１１側をアルミシャーシ８２の両端部８２１、８２１側に当接させて、半透明樹脂カバー８１の両端部８１１、８１１側の凸部８１２、８１２をアルミシャーシ８２の両端部８２１、８２１側の背壁部８２６、８２６に乗り上げさせる。半透明樹脂カバー８１は樹脂製であるため弾力性があり、半透明樹脂カバー８１の断面半円弧状の形状の両端部８１１、８１１側を離す方向に移動することで（半透明樹脂カバー８１の両端部８１１、８１１が広がることで）、アルミシャーシ８２の両端部８２１、８２１側の背壁部８２６、８２６に乗り上げることになる。このとき、半透明樹脂カバー８２の両端部８１１、８１１側の凸部８１２、８１２でアルミシャーシ８２の両端部８２１、８２１側の背壁部８２６、８２６を挟み込んだ状態になる（図５（ａ）参照）。
【００５３】
挟み込んだ状態のままで、半透明樹脂カバー８１の凸部８１２、８１２をアルミシャーシ８２の背壁部８２６、８２６上を、矢印Ｅ方向に沿って、摺動させる。摺動することで、半透明樹脂カバー８１の凸部８１２、８１２はアルミシャーシ８２の両端部８２１、８２１側の開口８２２、８２２に到達する。半透明樹脂カバー８１の凸部８１２、８１２がアルミシャーシ８２の開口８２２、８２２に到達することで、半透明樹脂カバー８１の、離れる方向に移動していた、両端部８１１、８１１が、樹脂製ゆえの弾力性により接近する方向に移動する（広がっていた状態から元の両端部８１１、８１１の間隔に近づく状態になる）。その結果、図５（ｂ）に示すように、半透明樹脂カバー８１の凸部８１２、８１２はアルミシャーシ８２の凹部８２３、８２３に組み入れて、半透明樹脂カバー８１とアルミシャーシ８２とを係合し、半透明樹脂カバー８１とアルミシャーシ８２との連結が行われることになる（図１参照）。
【００５４】
基板部８３は、図６に示すように、ＬＥＤ基板８４及びカメラ基板８７からなる。ＬＥＤ基板８４の一方の面８４ａ側には、図６（ａ）に示すように、ＬＥＤ基板８４の長手方向に沿って、複数のＬＥＤ８５が配置されることによりなるＬＥＤアレイ部（照明部）８４２が形成されている。本例ではＬＥＤ８５は３列に配置されているが、３列に限定されることなく、円筒状部材８９（ＬＥＤ照明装置８０）の大きさにより、３列以上に配置したり、３列以下に配置したりすることも可能である。そして、ＬＥＤ基板８４の他方の面８４ｂ側には、図６（ｂ）に示すように、電源基板８４５が設けられている。本例では、電源基板８４５は、ＬＥＤ基板８４の他方の面８４ｂ側に接着剤等で接合されることで設けられている。ただし、電源基板８４５をＬＥＤ基板８４の他方の面８４ｂ側に接合することなく、ＬＥＤ基板８４の他方の面８４ｂ側に電源回路８４５として形成することも可能である。ＬＥＤ基板８４は電源基板（電源回路）８４５と導通が図られており、電源基板（電源回路）８４５のＬＥＤ基板８４に対しての役割としては、電源ユニット８４４であるＡＣ−ＤＣコンバーターで交流電流から変換された直流電流をＬＥＤ基板（ＬＥＤ回路）８４に印加し、ＬＥＤ８５の点灯を可能にすることである。
【００５５】
そして、ＬＥＤ基板８４に隣接して図６（ａ）に示すように、カメラ基板８７が設けられており、カメラ基板８７の一方の面８７ａ側にはカメラユニット８８が設けられている。カメラユニット８８は、図４（ａ）に示すように、カメラユニット枠８８３内にレンズユニット８８１、ＣＣＤ８８２を収納することで構成されている。具体的には、カメラ基板８７の一方の面８７ａ上に、カメラユニット枠８８３が固定して配置され、カメラユニット枠８８３内の、カメラ基板８７の一方の面８７ａ上には、ＣＣＤ８８２が設けられて、カメラ基板８７のビデオ信号成形回路と導通が図られている。また、カメラユニット枠８８３内では、図４（ａ）に示すように、ＣＣＤ８８２と対向してＣＣＤ８８２と離間し、カメラユニット枠８８３の端部側にレンズユニット８８１が設けられている。レンズユニット８８１はカメラユニット枠８８３の端部側に固定して配置されることでＬＥＤ照明装置８０からのカメラユニット８８での撮影を可能にすることになる。カメラ基板（ビデオ信号成形回路）８７は電源基板（電源回路）８４５と導通が図られており、電源基板（電源回路）８４５のカメラ基板（ビデオ信号成形回路）８７に対しての役割としては、電源ユニット８４４であるＡＣ−ＤＣコンバーターで交流電流から変換された直流電流をカメラ基板（ビデオ信号成形回路）８７に印加し、カメラユニット８８を作動させることである。
【００５６】
円筒状部材８９内にカメラユニット８８が設けられたカメラ基板８７が組み込まれると、カメラユニット８８のレンズユニット８８１が対向する半透明樹脂カバー８１には、レンズユニット８８１が対向する位置に開口部８１３が形成されており、レンズユニット８８１に入る画像が半透明樹脂カバー８１を介すことなく、直接レンズユニット８８１に入ることが可能になる（図４及び図６参照）。さらに、カメラ基板８７の他方の面８７ｂ側には、図４及び図６（ｂ）に示すように、送信基板８７１が設けられている。本例では、送信基板８７１は、カメラ基板８７のカメラユニット８８を作動させる回路（ビデオ信号成形回路）が形成された、カメラ基板８７の一方の面８７ａとは反対側のカメラ基板８７の他方の面８７ｂに接着剤で接合されることで設けられている。ただし、送信基板８７１をカメラ基板８７の他方の面８７ｂに接合することなく、カメラ基板８７の他方の面８７ｂに送信回路８７１を形成することも可能である。送信基板（送信回路）８７１は電源基板（電源回路）８４５と導通が図られており、電源基板（電源回路）８４５の送信基板（送信回路）８７に対しての役割としては、電源ユニット８４４であるＡＣ−ＤＣコンバーターで交流電流から変換された直流電流を送信基板（送信回路）８７１に印加し、送信基板（送信回路）８７１を作動させてカメラ基板（ビデオ信号成形回路）８７で成形したデータを無線で遠隔地へ送ることである。
【００５７】
基板部８３では、半透明樹脂カバー８１と対向して、以上のようにカメラユニット８８とＬＥＤアレイ部（照明部）８４２とが配置されており、ＬＥＤアレイ部（照明部）８４２からの直接の照明がカメラユニット８８側に入るのを遮るために、カメラユニット８８とＬＥＤアレイ部（照明部）８４２との間に遮光板８６が配置されている。遮光板８６はカメラユニット８８とＬＥＤアレイ部（照明部）８４２とを遮断する板状の部材であれば材質は特に限定されないが、本例においては、例１及び例２と同様に、合成樹脂製の板状の部材を用いている。本例においては、遮光板８６は、図６（ｂ）に示すように、カメラ基板８７（カメラ基板８７の、円筒状部材８９の長手方向に沿う、ＬＥＤ基板８４側の端部）に垂直に当接し、カメラ基板８７に接着されて、カメラ基板８７に対して垂直に配置されている。そして、遮光板８６の、カメラ基板８７に当接した端部と反対側の端部である半透明樹脂カバー８１に対向する端部は、半透明樹脂カバー８１側にレンズユニットより高く伸びて、半透明樹脂カバー８１の内側の形状（円弧状の形状）に対応して円弧状の形状に形成されている。
【００５８】
円筒状部材８９の長手方向に沿う両端部側には、図示しないエンドキャップが取り付けられており、そのエンドキャップには、ソケット部９２、９２に差し込む、電源基板８４５との導通が図られた、図示しないソケット端子が設けられている。電源基板８４５からは、電源基板８４５のパターンに連結された、図示しないリード線が伸びて図示しないエンドキャップ内に組み込まれて図示しないソケット端子と導通が図られている。図示しないエンドキャップは、例１と同様であり、形状も例１と同様に、略円筒状の形状をなしており、基板部８３が組み込まれた側と反対側には、図示しないソケット端子が間隔をあけて二本突出して設けられて、ソケット部９２、９２に組込可能になっている。
【００５９】
つぎに、本例のＬＥＤ照明装置８０を室内で用いた例を図７及び図８を中心に説明する。図７では、室内の天井面Ｆに基台９０が取り付けられており、その基台９０にＬＥＤ照明装置８０を二つ並べて組み込んである。基台９０のＬＥＤ照明装置８０が取り付けられる部分は、ＬＥＤ照明装置８０ができるだけ室内全体を照らせるように傾斜している。図７に示すように、基台９０のＬＥＤ照明装置８０が取り付けられる部分である傾斜面９１、９１は天井面Ｆに対してそれぞれ鋭角をなしており、円筒状部材８９の長手方向に沿って各ＬＥＤ照明装置８０の長手方向が対応して取り付けられている。図７では、ＬＥＤ照明装置８０の長手方向に沿う端部側の基台９０のソケット部９２、９２にＬＥＤ照明装置８０の、図示しないエンドキャップのソケット端子が差し込まれて、二つのＬＥＤ照明装置８０が基台９０に組み込まれた状態が示されている。そして、各ＬＥＤ照明装置８０のカメラユニット８８３により開口部８１３を通じて画像を取り込める範囲は角度θとなっている。
【００６０】
図７に示す、室内の天井面Ｆに取り付けられた基台９０に組み込まれたＬＥＤ照明装置８０の、一例としての室内での様子が図８に示されている。図８に示されている室内は、高さＨである床面Ｇから天井面Ｆまでが２．４ｍであり、室内に配置された、向かい合った机と椅子の真上に天井面Ｆに取り付けられた基台９０に組み込まれたＬＥＤ照明装置８０が設けられている。つまり、天井面Ｆの基台９０がちょうど対向して設けられた机同士の間に対応している。そして、室内及び机、椅子の大きさに対して人の大きさがとのくらいかを示す目安として図８に示す室内の扉の前にいる人の身長ｈを１．７ｍとしている。この状態でＬＥＤ照明装置８０のカメラユニット８８を作動させてレンズユニット８８１を通して撮影できる範囲がＬＥＤ照明装置８０からの各々角度θで示された範囲となる。本例ではθを３０°としており、図８に示すように、室内の机、椅子の大半の部分が撮影範囲に入ることになる。具体的には、ＬＥＤ照明装置８０（のレンズユニット８８１）からの各々角度θで示された範囲は、床面Ｇ上では、天井面Ｆの基台９０と対向する床面Ｇの位置からＷ２である０．５ｍ離れたところからＷ１である１．５ｍの長さということになる。つまり、本例では、天井面Ｆの基台９０と対向する床面Ｇの位置からＷ３である２ｍの長さの位置が撮影できる終端となっている。そして、人が椅子に座り机に向かって作業を行えば、その人の机上の作業状況を撮影することが可能になる。
【００６１】
つぎに、図８に示す室内に設けられたＬＥＤ照明装置８０の作動について説明する。
【００６２】
図８に示す室内の天井面Ｆに設けられたＬＥＤ照明装置８０の図示しないスイッチを入れる。電源ユニット（ＡＣ−ＤＣコンバーター）８４４に交流電流を送る、図示しないソケット端子とエンドキャップの構造並びにソケットからソケット端子への交流電流の流れに関しては例１及び例２と同じであり、図示しないソケット端子と基板部８３とが電気的に導通が図られる。基板部８３が電気的に導通が図られることによって、図示しないソケット端子からの交流電流が電源ユニット（ＡＣ−ＤＣコンバーター）８４４で直流電流に変換される。電源ユニット（ＡＣ−ＤＣコンバーター）８４４にて交流電流から変換された直流電流を電源基板（電源回路）８４５により、ＬＥＤ基板（ＬＥＤ回路）８４に流し、ＬＥＤ８５を点灯させ（図９参照）、半透明樹脂カバー８１を通じて図８に示す室内の照明としての役割を発揮する。このとき、カメラユニット８８とＬＥＤアレイ部（照明部）８４２との間に遮光板８６が配置されているため、ＬＥＤアレイ部（照明部）８４２からカメラユニット８８に直接入る照明を遮断する。また、電源基板（電源回路）８４５からの直流電流が、図９に示すように、カメラ基板（ビデオ信号成形回路）８７及び送信基板（送信回路）８７１へ流される。
【００６３】
そして、図９に示すように、直流電流がカメラ基板（ビデオ信号成形回路）８７及び送信基板（送信回路）８７１に流れることで、カメラ基板（ビデオ信号成形回路）８７はカメラユニット８８を制御し、レンズユニット８８１に入ってくる画像を撮影し、撮影された画像をカメラ基板（ビデオ信号成形回路）８７の制御により、送信基板（送信回路）８７１へ送り、送信基板（送信回路）８７１である送信機により遠隔地へ無線で送信することになる。つまり、このとき各ＬＥＤ８５が点灯することで図８に示す室内が明るくなっており、カメラユニット８８のＣＣＤ８８２の作動によりカメラ基板であるビデオ信号回路８７によるレンズユニット８８１に入ってくる、レンズユニット８８１から撮影範囲θの映像を撮影し、撮影された画像データは送信基板である送信機８７１により監視等を行う遠隔地へ無線で送信される。そして無線で送信された画像データは遠隔地の受信機である、例えばパーソナルコンピュータ等により受信し、ディスプレイ（映像機器）に表示させることで図８に示す室内の人の机上の作業状況の監視等を行うことになる。
【００６４】
そして、ＬＥＤ照明装置８０の図示しないスイッチを切ることで、ＡＣ電流が電源ユニット（ＡＣ−ＤＣコンバーター）８４４に流れなくなり、電源基板（電源回路）８４５からＬＥＤ基板（ＬＥＤ回路）８４へのＤＣ電流が流れなくなり、ＬＥＤ基板（ＬＥＤ回路）８４に配置された、多数のＬＥＤ８５（ＬＥＤアレイ部（照明部）８４２）は消灯し、また、ＤＣ電流が流れなくなることでカメラ基板（ビデオ信号成形回路）８７及び送信機である送信基板（送信回路）８７１も作動を停止する。
【００６５】
なお、本例では、図９に示すように、カメラユニット８８のＣＣＤ８８２がｃｈ１からｃｈＮまで設定できる形式をとっており、本例では、ｃｈ１及びｃｈＮを選択した場合を例にして説明しているが、他のｃｈを選択した場合であっても同様の動作を行うことになる。
【００６６】
（例４）
つぎに、ＬＥＤ照明装置８０を変形した態様であるＬＥＤ照明装置４０について説明する。ＬＥＤ照明装置４０の基本的な構成についてはＬＥＤ照明装置８０と同じであり、例３と異なる構成を中心にＬＥＤ照明装置４０について説明する。
【００６７】
ＬＥＤ照明装置４０は、図１０に示すように、ＬＥＤ照明装置８０と同様に、半透明樹脂カバー４１とアルミシャーシ４２とが連結することで円筒状部材４９が形成されて、その円筒状部材４９内に基板部４３であるＬＥＤ基板４３及びカメラ基板４６が収納されることになる。半透明樹脂カバー４１及びアルミシャーシ４２は、例３と同じ構成をなしている。つまり、半透明樹脂カバー４１及びアルミシャーシ４２は、ＬＥＤ照明装置８０と同様に、直線状に伸び、直線状に伸びる方向を横断する断面方向では、断面円弧状の形状に形成されている。本例でも、例３と同じに、この断面円弧状が断面半円弧状に形成されている。そして、半透明樹脂カバー４１とアルミシャーシ４２とを、例３と同じに係合させることで円筒状部材４９を形成している（図１０参照）。円筒状部材４９内の、アルミシャーシ４２のスライドレールとなる溝部４２５、４２５には基板部４３が、例３と同様にして組み込まれ、円筒状部材４９内に基板部４３を収納することになる（図１０参照）。
【００６８】
本例においても、例３と同様に、半透明樹脂カバー４１とアルミシャーシ４２との連結に際しては、半透明樹脂カバー４１の図示しない凸部とアルミシャーシ４２の図示しない凹部と摺動させることに限定されない。つまり、半透明樹脂カバー４１とアルミシャーシ４２と重ね合わせることで半透明樹脂カバー４１の図示しない凸部とアルミシャーシ４２の図示しない凹部と組み合わせて半透明樹脂カバー４１とアルミシャーシ４２との連結することで円筒状部材４９を形成することも可能である。この場合には、アルミシャーシ４２のスライドレールである溝部４２５、４２５に基板部４３を組み込んでおいた状態であっても、基板部４３を組み込んでない状態であってもいずれの状態でも半透明樹脂カバー４１とアルミシャーシ４２との連結が可能である。この場合の、半透明樹脂カバー４１とアルミシャーシ４２との連結では、半透明樹脂カバー４１の両端部側をアルミシャーシ４２の両端部側に当接させて、半透明樹脂カバー４１の両端部側の図示しない凸部をアルミシャーシ４２の両端部側の図示しない背壁部に乗り上げさせて、半透明樹脂カバー４１の両端部側の図示しない凸部でアルミシャーシ４２の両端部側の図示しない背壁部を挟み込み、半透明樹脂カバー４１の図示しない凸部をアルミシャーシ４２の図示しない背壁部上を摺動させて、半透明樹脂カバー４１の図示しない凸部をアルミシャーシ４２の図示しない凹部に組み入れて、半透明樹脂カバー４１とアルミシャーシ４２との連結が行われる（図５参照）。
【００６９】
基板部４３は、図１０に示すように、例３と同様に、ＬＥＤ基板４４及びカメラ基板４７からなる。ただし、例４における、基板部４３では、ＬＥＤ基板４４、４４同士にカメラ基板４７が配置されており、カメラユニット４８とＬＥＤアレイ部（照明部）４４２とを遮断するために、例３と同様に、遮光板４６が配置されている（ＬＥＤアレイ部（照明部）４４２からの直接の照明がカメラユニット４８（レンズユニット４８１）側に入るのを遮るために、カメラユニット４８とＬＥＤアレイ部（照明部）４４２との間に遮光板４６が配置されている）。遮光板４６はカメラユニット４８とＬＥＤアレイ部（照明部）４４２とを遮断する板状の部材であれば材質は特に限定されないが、本例においては合成樹脂製の板状の部材を用いている。本例においては、例３と異なり、図１０（ａ）に示すように、ＬＥＤアレイ部（照明部）４４２、４４２同士の間にカメラユニット４８（カメラ基板４７）が配置されているために、二箇所に遮光板４６が配置されている。遮光板４６は、例３と同様に、カメラ基板４７に当接し、カメラ基板４７に接着されて、カメラ基板４７に対して垂直に配置されている。そして、遮光板４６の、カメラ基板４７に当接した端部と反対側の端部である半透明樹脂カバー４１に対向する端部は半透明樹脂カバー４１の内側の形状（円弧状の形状）に対応して円弧状の形状に形成されている。
【００７０】
ＬＥＤ基板４４の一方の面４４ａ側には、例３と同様に、図１０（ａ）に示すように、ＬＥＤ基板４４の長手方向に沿って、複数のＬＥＤ４５が配置されることによりなるＬＥＤアレイ部（照明部）４４２が形成されている。本例でも、例３と同様に、ＬＥＤ４５は３列に配置されているが、３列に限定されることなく、円筒状部材４９（ＬＥＤ照明装置４０）の大きさにより、３列以上に配置したり、３列以下に配置したりすることも可能である。そして、図１０（ｂ）に示すように、本例では、カメラ基板４７を挟み込んでいる、一方のＬＥＤ基板（第一ＬＥＤ基板）４４の他方の面４４ｂ側には、電源基板４４５が設けられており、他方のＬＥＤ基板（第二ＬＥＤ基板）４４の他方の面４４ｂ側には、電源基板４４５が設けられていない。電源基板４４５のＬＥＤ基板４４への取り付け及び役割は、例３と同じである。ただし、本例においては、電源基板（電源回路）４４５は、電源ユニット４４４であるＡＣ−ＤＣコンバーターで交流電流から変換された直流電流を、電源基板（電源回路）４４５が接合されたＬＥＤ基板（ＬＥＤ回路）（第一ＬＥＤ基板）４４だけではなく、電源基板（電源回路）４４５が接合されていないＬＥＤ基板（ＬＥＤ回路）（第二ＬＥＤ基板）４４にも印加し、ＬＥＤ４５の点灯を可能にしている。電源基板（電源回路）４４５から電源基板（電源回路）４４５が接合されていないＬＥＤ基板（ＬＥＤ回路）（第二ＬＥＤ基板）４４への導通は、直接導線で連結することで行われているが、カメラ基板４７を介して導線で連結することも可能である。
【００７１】
ＬＥＤ基板４４同士の間に配置されたカメラ基板４７の一方の面８７ａ側には、例３と同様に、カメラユニット４８が設けられている。そして、カメラユニット４８は、例３と同様に、カメラユニット枠４８３内にレンズユニット４８１、図示しないＣＣＤを収納することで構成されており、図示しないＣＣＤはカメラ基板８７のビデオ信号成形回路と導通が図られている。また、レンズユニット４８１についても、例３と同様に配置されてＥＤ照明装置４０からのカメラユニット４８での撮影を可能にしている。さらに、例３と同様に、カメラユニット４８のレンズユニット４８１が対向する半透明樹脂カバー４１には、レンズユニット４８１が対向する位置に開口部４１３が形成されており、レンズユニット４８１に入る画像が半透明樹脂カバー４１を介すことなく、直接レンズユニット４８１に入ることが可能になる（図１０参照）。さらに、カメラ基板４７の他方の面４７ｂ側には、例３と同様に、送信基板（送信回路）８７１が設けられている。
【００７２】
円筒状部材４９の長手方向に沿う両端部側には、例３と同様に、図示しないエンドキャップが取り付けられており、そのエンドキャップには、ソケット部９２、９２に差し込む、電源基板４４５との導通が図られた、図示しないソケット端子が設けられている。電源基板４４５からは、電源基板４４５のパターンに連結された、図示しないリード線が伸びて図示しないエンドキャップ内に組み込まれてソケット端子と導通が図られている。図示しないエンドキャップは、例１と同様であり、形状も例１と同様に、略円筒状の形状をなしており、基板部４３が組み込まれた側と反対側には、図示しないソケット端子が間隔をあけて二本突出して設けられて、ソケット部９２、９２に組込可能になっている。
【００７３】
本例のＬＥＤ照明装置４０を室内で用いた場合の、ＬＥＤ照明装置４０の動作は例３に示すＬＥＤ照明装置８０と同じである。つまり、ＬＥＤ照明装置４０を図７に示す室内の天井面Ｆに取り付けられた基台９０のソケット部９２、９２に組み込むことで、図８に示す室内でカメラユニット４８を作動させてレンズユニット４８１を通して撮影できる範囲がＬＥＤ照明装置４０からの各々角度θで示された範囲となる。本例ではθを３０°としており、図８に示すように、室内の机、椅子の大半の部分が撮影範囲に入ることになる。この状態でＬＥＤ照明装置４０の図示しないスイッチを入れると、図示しないソケット端子からの交流電流が電源ユニット（ＡＣ−ＤＣコンバーター）４４４で直流電流に変換され、電源基板（電源回路）４４５により、ＬＥＤ基板（ＬＥＤ回路）４４に流し、ＬＥＤ４５を点灯させ（図９参照）、半透明樹脂カバー４１を通じて図８に示す室内の照明としての役割を発揮する。
【００７４】
このとき、カメラユニット４８とＬＥＤアレイ部（照明部）４４２との間に遮光板４６が配置されているため、ＬＥＤアレイ部（照明部）４４２からカメラユニット４８に直接入る照明を遮断する。そして、電源基板（電源回路）４４５からの直流電流が、図に示９すように、カメラ基板（ビデオ信号成形回路）４７及び送信基板（送信回路）４７１へ流され、レンズユニット４８１に入ってくる画像を撮影し、撮影された画像をカメラ基板（ビデオ信号成形回路）４７の制御により、送信基板（送信回路）４７１へ送り、送信基板（送信回路）４７１である送信機により遠隔地へ無線で送信することになる。そして、無線で送信された画像データは遠隔地の受信機である、例えばパーソナルコンピュータ等により受信し、ディスプレイ（映像機器）に表示させることで図８に示す室内の人の机上の作業状況の監視等を行うことになる。そして、ＬＥＤ照明装置４０の図示しないスイッチを切ることで、例３と同様に、ＬＥＤ照明装置４０の動作を終了させることになる。
【００７５】
なお、例１及び例２では、画像データを遠隔地へ送信するために無線ＬＡＮ基板（無線ＬＡＮ回路）７を用いているが、無線ＬＡＮ基板（無線ＬＡＮ回路）７は送信基板（送信回路）８７１である送信機の一例であり、例１及び例２においても画像データを遠隔地へ送信するために無線ＬＡＮ基板（無線ＬＡＮ回路）７を用いることに限定されず、無線ＬＡＮ基板（無線ＬＡＮ回路）７以外の送信基板（送信回路）８７１である送信機により画像データを遠隔地へ送信することが可能である。
【００７６】
なお、例３においては、半透明樹脂カバー及びアルミシャーシは、連結されることで円筒状部材が形成されるためにそれぞれ断面半円弧状の形状で形成されているが、半透明樹脂カバーとアルミシャーシとを連結することで円筒状部材を形成することができれば、半透明樹脂カバーとアルミシャーシとがそれぞれ断面半円弧状の形状で形成されている必要はない。つまり、半透明樹脂カバー及びアルミシャーシが断面円弧状の形状で形成されていれば、連結した際に断面方向が若干楕円形状をなしていても円筒状部材を形成することは可能である。それ故、半透明樹脂カバー及びアルミシャーシは、それぞれ断面半円弧状の形状で形成されることに限定されることなく、それぞれ断面円弧状の形状で形成されていればよい。
【符号の説明】
【００７７】
１、１０、８０…ＬＥＤ照明装置
１１…カメラ部、１２…照明部、１３…照明カバー、１４…筺体
２…ベース基板、２１…一方の端部、２２…他方の端部、
３…エンドキャップ、３１…ソケット端子
４…ＬＥＤ
５…カメラユニット
６…制御基板
７…無線ＬＡＮ基板
８…電源部
９…遮光板
４１、８１…半透明樹脂カバー、８１１…端部、８１２…凸部、８１３…開口部
４２、８２…アルミシャーシ、８２１…端部、８２２…開口、８２３…凹部、８２４…開口、４２５、８２５…溝部（スライドレール）、８２６…背壁部
４３、８３…基板部、８３１…端部
４４、８４…ＬＥＤ基板、８４ａ…一方の面、８４ｂ…他方の面、４４２、８４２…ＬＥＤアレイ部（照明部）、４４４、８４４…電源ユニット（ＡＣ−ＤＣコンバーター）、４４５、８４５…電源基板（電源回路）
４５、８５…ＬＥＤ
４６、８６…遮光板
４７、８７…カメラ基板（ビデオ信号回路）、４７１、８７１…送信基板（送信回路）
４８、８８…カメラユニット、４８１、８８１…レンズユニット、８８２…ＣＣＤ、８８３…カメラユニット枠
４９、８９…円筒状部材
９０…基台、９１…傾斜面、９２…ソケット部
Ｆ…天井面
【図１】
2011154993.tif 000003
【図２】
2011154993.tif 000004
【図３】
2011154993.tif 000005
【図４】
2011154993.tif 000006
【図５】
2011154993.tif 000007
【図６】
2011154993.tif 000008
【図７】
2011154993.tif 000009
【図８】
2011154993.tif 000010
【図９】
2011154993.tif 000011
【図１０】
2011154993.tif 000012
【図１１】
2011154993.tif 000013